(57)【要約】【課題】生産効率良く鏡本体の後面の腐食を防止し得る鏡アセンブリを提供する。【解決手段】鏡アセンブリ１は、鏡本体１１、及び鏡本体１１の後面に固定された裏板１２を備える鏡１０と、鏡１０の端部１０Ａに組み付けられ、鏡１０と、鏡１０が取り付けられる所定の本体部１５と、を連結する連結部材２０と、を具備している。連結部材２０は、前壁３０と、前壁３０の後方に位置する後壁４０と、前壁３０及び後壁４０によって構成され、鏡１０の端部１０Ａが挿入される挿入部８０と、前壁及び後壁の少なくとも一方に連結し、挿入部８０に鏡１０の端部１０Ａが挿入された状態で、裏板１２に対して前方に離間するとともに挿入部８０の内側の空間Ｓを前空間Ｓ１と後空間Ｓ２とに仕切る仕切部６０と、を備えている。【選択図】図９
2019141270.tif 000002
【特許請求の範囲】
【請求項１】
鏡本体、及び前記鏡本体の後面に固定された裏板を備える鏡と、
前記鏡の端部に組み付けられ、前記鏡と、前記鏡が取り付けられる所定の取付部と、を連結する連結部材と、
を具備する鏡アセンブリであって、
前記連結部材は、
前壁と、
前記前壁の後方に位置する後壁と、
前記前壁及び前記後壁によって構成され、前記鏡の端部が挿入される挿入部と、
前記前壁及び前記後壁の少なくとも一方に連結し、前記挿入部に前記鏡の端部が挿入された状態で、前記裏板に対して前方に離間するとともに前記挿入部の内側の空間を前空間と後空間とに仕切る仕切部と、
を備えることを特徴とする鏡アセンブリ。
【請求項２】
前記連結部材は、前記仕切部の後面から後方に突出した凸部を備えることを特徴とする請求項１に記載の鏡アセンブリ。
【請求項３】
前記裏板は、前記鏡本体の後面に固定された本体部、および前記本体部から前記鏡本体の端面よりも外側に延出する延出部と、を有しており、
前記連結部材は、前記仕切部の後面から後方に延出する一対の横仕切部を備え、
前記延出部は、一対の前記横仕切部の間に各前記横仕切部に離間して配置されていることを特徴とする請求項１又は請求項２に記載の鏡アセンブリ。
【請求項４】
前記延出部は、先端から基端に向かって延びるように切り欠かれた切欠部が形成されており、
前記連結部材は、前記後壁の前面から前方に突出したリブを備え、
前記リブが前記切欠部に入り込むことを特徴とする請求項３に記載の鏡アセンブリ。
【発明の詳細な説明】
【技術分野】
【０００１】
本発明は鏡アセンブリに関するものである。
【背景技術】
【０００２】
特許文献１は、鏡板の端部に組み付けられる鏡板把持サッシが開示されている。この鏡板把持サッシは、鏡板の端部の端面に対向して支持する支持部と、支持部に連設されて鏡板の前面側を押さえる前壁部と、支持部に連設されて鏡板の後面側を押さえる後壁部と、を備えている。鏡板は、後面がバックパネルに固定されている。
【先行技術文献】
【特許文献】
【０００３】
【特許文献１】特開２０１４−２０９９９１号公報
【発明の概要】
【発明が解決しようとする課題】
【０００４】
しかしながら、特許文献１の鏡板把持サッシは、鏡板の前面において液体（例えば、化粧品や洗剤を含む液体など）が端部に向かって伝わる場合に、前壁部と鏡板との間に入り込み、さらに鏡板の端部と支持部との間に回り込む虞がある。そして、鏡板の端部と支持部との間に回り込む液体は、鏡板とバックパネルの隙間に到達する場合に、毛細管現象によって鏡板の後面全体へと広がっていくことになる。このような液体は、鏡板の後面を腐食してしまう。
【０００５】
このような問題に対して、鏡板は、例えば、後面における端部全体に沿って両面テープや接着剤などの接着部材を設けることで、バックパネルとの間における液体の浸入経路を塞ぐ構成とすることができる。しかしながら、このような構成では、鏡板を鏡板把持サッシに組み付ける前に、鏡板とバックパネルとの間に上記接着部材を付着させる工程が新たに必要となり、鏡板把持サッシの組み付け効率が悪くなってしまう問題がある。したがって、鏡板の端部に組み付けられる部材は、生産効率良く鏡体の後面の腐食を防止し得る構成が求められている。
【０００６】
本発明は、上記従来の実情に鑑みてなされたものであって、生産効率良く鏡本体の後面の腐食を防止し得る鏡アセンブリを提供することを解決すべき課題としている。
【課題を解決するための手段】
【０００７】
本発明の鏡アセンブリは、
鏡本体、及び前記鏡本体の後面に固定された裏板を備える鏡と、
前記鏡の端部に組み付けられ、前記鏡と、前記鏡が取り付けられる所定の取付部と、を連結する連結部材と、
を具備する鏡アセンブリであって、
前記連結部材は、
前壁と、
前記前壁の後方に位置する後壁と、
前記前壁及び前記後壁によって構成され、前記鏡の端部が挿入される挿入部と、
前記前壁及び前記後壁の少なくとも一方に連結し、前記挿入部に前記鏡の端部が挿入された状態で、前記裏板に対して前方に離間するとともに前記挿入部の内側の空間を前空間と後空間とに仕切る仕切部と、
を備えることを特徴とする。
【０００８】
この鏡アセンブリの連結部材は、前壁及び後壁によって構成される挿入部に鏡の端部が挿入された状態で、裏板に対して前方に離間するとともに挿入部の内側の空間を前空間と後空間とに仕切る仕切部を備えている。そのため、連結部材は、液体が鏡の前面から端部へ伝わる場合に、液体を前空間において仕切部の前面を伝わらせて、鏡から排水することができる。連結部材は、仮に鏡の端部に伝わる液体が前空間から後空間に到達しようとしても、仕切部の後面を伝わらせて、鏡から排水することができる。そして、仕切部は、裏板に対して離間しているため、裏板に液体が到達することを防ぐことができる。したがって、鏡アセンブリは、鏡本体と裏板との間に液体が入り込むことに起因する鏡本体の後面の腐食を防止することができる。特に、鏡アセンブリは、連結部材に仕切部を設けるのみの簡易な構成であるため、例えば鏡本体と裏板との間に液体の浸入防止用の接着部材などを付着させる工程が必要なく、生産効率良く鏡本体の後面の腐食を防止することができる。
【図面の簡単な説明】
【０００９】
【図１】実施例１に係る鏡アセンブリを示す図であり、（Ａ）斜視図、（Ｂ）分解斜視図を夫々示す。
【図２】図１の連結部材の斜視図である。
【図３】図１の連結部材の背面図である。
【図４】図１の連結部材の平面図である。
【図５】図４のＡ−Ａ断面図である。
【図６】図４のＢ−Ｂ断面図である。
【図７】図４のＣ−Ｃ断面図である。
【図８】連結部材を鏡に組み付けた状態における図４のＡ−Ａ断面に相当する断面図である。
【図９】連結部材を鏡に組み付けた状態における図４のＢ−Ｂ断面に相当する断面図である。
【図１０】連結部材を鏡に組み付けた状態における図４のＣ−Ｃ断面に相当する断面図である。
【発明を実施するための形態】
【００１０】
本発明における好ましい実施の形態を説明する。
【００１１】
本発明の鏡アセンブリの連結部材は、前記仕切部の後面から後方に突出した凸部を備え得る。
この場合、連結部材は、裏板が凸部に干渉することで、裏板が仕切部に接触することを防ぐことができる。これにより、鏡アセンブリは、後空間を確保して、液体を仕切部の後面を伝わらせて、鏡から排水し易くすることができる。
【００１２】
本発明の鏡アセンブリの連結部材にて取り付けられる鏡の前記裏板は、前記鏡本体の後面に固定された本体部、および前記本体部から前記鏡本体の端面よりも外側に延出する延出部と、を有しており、
連結部材は、前記仕切部の後面から後方に延出する一対の横仕切部を備え、
前記延出部は、一対の前記横仕切部の間に各前記横仕切部に離間して配置され得る。
この場合、この鏡アセンブリは、液体が鏡の端部において延出部に向かって伝わる場合に、横仕切部を伝わらせて、鏡から排水することができる。そして、鏡アセンブリは、延出部が一対の横仕切部に離間して配置されているため、延出部に液体が到達することを防ぐことができる。
【００１３】
本発明の鏡アセンブリの連結部材にて取り付けられる鏡の前記延出部は、先端から基端に向かって延びるように切り欠かれた切欠部が形成されており、
連結部材は、前記後壁の前面から前方に突出したリブを備え、
前記リブが前記切欠部に入り込み得る。
この場合、この鏡アセンブリは、裏板の延出部の切欠部にリブが入り込むことで、裏板がリブに対して、一対の横仕切部が対向する方向に位置ずれすることを防ぐことができる。そのため、鏡アセンブリは、延出部を一対の横仕切部から離間した状態に維持することができ、裏板に液体が到達することを防ぐことができる。
【００１４】
次に、本発明の鏡アセンブリを具体化した実施例１について、図面を参照しつつ説明する。
【００１５】
＜実施例１＞
実施例１の鏡アセンブリ１は、洗面所等に配置される収納棚（図示略）の前面扉として用いられる。鏡アセンブリ１は、図１に示すように、鏡１０と、この鏡１０の下端部（端部１０Ａ）および上端部（端部１０Ｂ）にそれぞれ設けられた連結部材２０と、を備えている。連結部材２０は、例えば収納棚の本体部１５（請求項の「取付部」に相当）と、鏡１０と、を連結する。連結部材２０は、前方に開口する箱状の本体部１５に対して、鏡１０を鏡扉として開閉自在に固定するように機能する。鏡１０は、本体部１５の開口部分を閉塞する閉状態において、本体部１５とともに収納空間を構成する。連結部材２０は、図３、図５に示すように、ヒンジ組付部２１、および取っ手部２２が形成されている。連結部材２０は、ヒンジ組付部２１に取り付けられる扉用ヒンジ（図示略）を介して本体部１５に組み付けられている。連結部材２０は、取っ手部２２が使用者によって操作されることで、鏡１０とともに開閉動作する。
【００１６】
本明細書では、上下方向は、図１に示す向きがそのまま上下方向である。前後方向は、鏡１０の板面に直交する方向であり、前方側は、本体部１５に対して鏡１０が固定される側であり、後方側は、前方側とは反対側である。左右方向は、上下方向および前後方向に直交する方向であり、左側は、使用者が閉状態の鏡１０に向かい合ったときの左手側であり、右側は、右手側である。
【００１７】
鏡１０は、図１に示すように、鏡本体１１と、裏板１２と、を備えている。鏡本体１１は、前方側から見て略四角形状の板状部材である。裏板１２は、鏡本体１１の後面に固定されている。裏板１２は、鏡本体１１の厚さよりも薄い樹脂板からなる。裏板１２は、両面テープ等により、鏡本体１１の後面に接着固定されている。裏板１２は、本体部１３、および延出部１４を備えている。本体部１３は、鏡本体１１よりも僅かに小さい正面視四角形状をなしている。延出部１４は、本体部１３に一体的に形成されるとともに、本体部１３の上下端から鏡本体１１の端部１１Ａ，１１Ｂよりも外側方向に延出して形成されている。延出部１４の左右幅は本体部１３の左右幅よりも小さく形成されている。延出部１４は、左右方向の中心部分において、延出方向における先端から基端に向かって（図８では、上方に向かって）延びるように切り欠かれた切欠部１４Ａが形成されている。切欠部１４Ａは、連結部材２０を取り付ける際の左右方向の位置合わせに用いられる。
【００１８】
連結部材２０は、鏡１０の下端部（端部１０Ａ）および上端部（端部１０Ｂ）に対称に組み付けられている。連結部材２０は、鏡１０の下端部（端部１０Ａ）および上端部（端部１０Ｂ）の延伸方向である左右方向を長手方向とする長尺状に形成されている。上下の連結部材２０は、上下に対称に形成されている以外は略同様の構成であり、以下の説明では鏡１０の下端部（端部１０Ａ）に組み付けられる連結部材２０を用いて説明する。
【００１９】
連結部材２０は、図２〜４に示すように、前壁３０、後壁４０、仕切部６０、凸部６４、一対の横仕切部６５，６５、リブ７５、および挿入部８０を備えている。前壁３０は、左右方向に長い板状壁部である。前壁３０は、鏡１０の前面における下縁付近を、前方側から押さえ付けるように機能する。
【００２０】
後壁４０は、図２〜４に示すように、左右方向に長い板状壁部である。後壁４０は、前壁３０よりも後方の位置で、鏡１０の後面における下縁付近を、後方側から押さえ付けるように機能する。後壁４０は、図３に示すように板部４１、枠部４２、一対の抜け止め部４３，４３、および撓み部４４を備えている。板部４１は、左右方向に長く、下側の両角部が略四角に切り欠かれた四角板状である。枠部４２は、板部４１の外縁から後方に延出するように環状になっている。抜け止め部４３は、抜け止め用ビスＢ１が螺合されることにより、鏡１０を抜け止め固定する。抜け止め部４３は、抜け止め用ビスＢ１が螺合する孔４３Ａを備えている。撓み部４４は、前壁３０側に弾性変形（撓み変形）することにより、前壁３０との間で鏡１０を挟持する。撓み部４４は、タッピングビスＢ２が挿入される孔４４Ａを備えている。
【００２１】
前壁３０は、図４に示すように、前後連結部５１，５２、および一対の前後連結部５３，５３によって後壁４０と連結されている。前後連結部５１は、前壁３０の左端部と、後壁４０の左端部と、を連結している。前後連結部５１は、板面が上下方向に直交する平板状である。前後連結部５２は、前壁３０の右端部と、後壁４０の右端部と、を連結している。前後連結部５２は、図５に示すように、上下方向および左右方向にそれぞれ直交する２つの板面を有し、正面視でＬ字状に折れ曲がっている。一対の前後連結部５３，５３は、前後連結部５１と前後連結部５２の間において、前壁３０と後壁４０を連結している。前後連結部５３は、板面が左右方向に直交する平板状である。
【００２２】
挿入部８０は、図２、図４、図６、図７に示すように、前壁３０及び後壁４０によって構成されている。挿入部８０は、鏡１０の端部１０Ａが上方から挿入される。挿入部８０は、内側（前壁３０と後壁４０の間）に空間Ｓを形成している。
【００２３】
仕切部６０は、図４、図６、図７に示すように、前壁３０と後壁４０の間において、挿入部８０の内側の空間Ｓを前空間Ｓ１と後空間Ｓ２とに仕切る。仕切部６０は、左右方向に長い板状である。仕切部６０は、上方に面する上面６０Ａを有する。仕切部６０は、図６、図７に示す上仕切部６１、下仕切部６２、および図４に示す係合部６３を備えている。上仕切部６１は、板面が前後方向に直交する板部である。下仕切部６２は、上仕切部６１の下端に連なる板部である。下仕切部６２は、後方に向かって下り勾配となるように傾斜している。
【００２４】
連結部材２０は、仕切部６０の上記構成によって、金型を用いて成形する際に、仕切部６０を形作る金型部分の強度を高めることができる。具体的には、前壁３０と仕切部６０との間に配置される金型部分（上下方向に延びる部分）は、下端部（前壁３０と下仕切部６２との間の部分）が前後方向で厚くなる。また、後壁４０と仕切部６０との間に配置される金型部分は、上端部（後壁４０と上仕切部６１との間の部分）が前後方向で厚くなる。このように、連結部材２０は、金型における上下方向に延びる部分の根元の厚さを確保することで、金型の強度を高めることができる。
【００２５】
係合部６３は、上仕切部６１の後面、および下仕切部６２の後面において、撓み部４４の前方の位置（図５参照）に形成されている。係合部６３は、上面が上方に湾曲した蒲鉾状に後方に突出している。係合部６３は、タッピングビスＢ２が係合する係合穴６３Ａを有している。
【００２６】
仕切部６０は、図４に示すように、左端部が前後連結部５１に連なり、右端部が前後連結部５２に連なっている。仕切部６０は、前後連結部５１と前後連結部５２の内側で、一対の前後連結部５３，５３にそれぞれ連なっている。
【００２７】
仕切部６０は、図４に示すように、一対の前連結部７１，７１、および一対の前連結部７２，７２を介して前壁３０と連結している。一対の前連結部７１，７１は、一対の前後連結部５３，５３の内側で、前壁３０と仕切部６０を連結している。前連結部７１は、上下方向に直交する板面を有し、左右方向に長い板状である。前連結部７１は、上方に面する上面７１Ａを有する。仕切部６０は、図６に示すように、上面６０Ａが前連結部７１の上面７１Ａよりも高位置にあり、前連結部７１とともに段差を形成している。一対の前連結部７２，７２は、一対の前連結部７１，７１の内側で、前壁３０と仕切部６０を連結している。前連結部７２は、上下方向に直交する板面を有し、左右方向に長い板状である。前連結部７２は、上方に面する上面７２Ａを有する。仕切部６０は、図７に示すように、上面６０Ａが前連結部７２の上面７２Ａよりも高位置にあり、前連結部７２とともに段差を形成している。
【００２８】
仕切部６０は、図４に示すように、一対の後連結部７３，７３、および一対の後連結部７４，７４を介して後壁４０と連結している。一対の後連結部７３，７３は、一対の前後連結部５３，５３の内側で、後壁４０と仕切部６０を連結している。後連結部７３は、上下方向に直交する板面を有し、左右方向に長い板状である。後連結部７３は、図６に示すように、仕切部６０の下端部と後壁４０の下端部を連結している。一対の後連結部７４，７４は、一対の後連結部７３，７３の内側で、後壁４０と仕切部６０を連結している。後連結部７４は、上下方向に直交する板面を有し、左右方向に長い板状である。後連結部７４は、仕切部６０の下端部と後壁４０の下端部を連結している。
【００２９】
凸部６４は、図４、図６、図７に示すように、仕切部６０の後面から後方に突出している。具体的には、凸部６４は、仕切部６０の後面に４つ形成されている。一対の凸部６４，６４は、左側の抜け止め部４３の前方の位置において、それぞれ僅かな距離を隔てて隣り合って形成されている。同様に、他の一対の凸部６４，６４は、右側の抜け止め部４３の前方の位置において、それぞれ僅かな距離を隔てて隣り合って形成されている。凸部６４は、図６、図７に示すように、角張った突起形状である。凸部６４は、仕切部６０と後連結部７３の連結箇所まで後方に突出している。凸部６４は、上方に面する上面６４Ａを有する。仕切部６０は、図６、図７に示すように、上面６０Ａが凸部６４の上面６４Ａよりも高位置にあり、凸部６４とともに段差を形成している。
【００３０】
一対の横仕切部６５，６５は、図４、図５に示すように、それぞれ仕切部６０の後面における左右方向内側寄りの位置から後方に延出し、後壁４０の前面に連なっている。横仕切部６５は、上下方向に長い板状である。横仕切部６５は、上方に面する上面６５Ａを有する。横仕切部６５の上面６５Ａは、仕切部６０の上面６０Ａと同じ高さである。左側の横仕切部６５は、左側の前後連結部５３に対して僅かに右寄りの位置に位置している。右側の横仕切部６５は、右側の前後連結部５３に対して僅かに左寄りの位置に位置している。一対の横仕切部６５，６５は、図４に示すように、仕切部６０の後方において、後空間Ｓ２を左右方向で後左空間Ｓ２１と後内空間Ｓ２２と後右空間Ｓ２３とに仕切っている。
【００３１】
リブ７５は、図４、図５に示すように、リブ７５Ａ〜７５Ｃを備えている。リブ７５は、鏡１０に連結部材２０を組み付ける際の左右方向の位置合わせに用いられる。リブ７５Ａ〜７５Ｃは、それぞれ後壁４０の前面から前方に突出し、仕切部６０に連なっている。リブ７５Ａは、後壁４０における左右方向の中心に位置している。リブ７５Ｂおよび７５Ｃは、リブ７５Ａを挟むようにリブ７５Ａの左右両側にそれぞれ所定距離おいて位置している。リブ７５Ａは、リブ７５Ｂおよび７５Ｃよりも上方に突出している。
【００３２】
ヒンジ組付部２１は、図３に示すように、前壁３０の左下端の一部と、後壁４０の枠部４２の左下端の一部と、によって構成されている。ヒンジ組付部２１は、扉用ヒンジ（図示略）が取り付けられる。取っ手部２２は、前壁３０の右下端の一部と、後壁４０の枠部４２の右下端の一部と、前後連結部５２と、によって構成される。取っ手部２２は、鏡アセンブリ１の開閉時に手が挿入される空間を内側に形成する。
【００３３】
次に、連結部材２０の鏡１０への組み付けについて説明する。
鏡１０は、図８〜図１０に示すように、連結部材２０の挿入部８０に挿入される。裏板１２の延出部１４は、凸部６４と後壁４０との間の隙間に挿入される。延出部１４は、一対の横仕切部６５，６５の間において、各横仕切部６５，６５に離間して配置される。鏡本体１１の端部１１Ａは、仕切部６０の上面６０Ａ、一対の横仕切部６５，６５の各上面６５Ａ，６５Ａ、前後連結部５２の上面５２Ａに載置される。ここで、図５に示す仮想線Ｌは、仕切部６０の上面６０Ａ、一対の横仕切部６５，６５の各上面６５Ａ，６５Ａ、前後連結部５２の上面５２Ａを通る左右方向の水平線である。鏡本体１１の端部１１Ａは、この仮想線Ｌ上に位置することで、図８に示す状態となる。
【００３４】
リブ７５は、切欠部１４Ａの内側に挿入される。これにより、連結部材２０は、鏡１０に対して左右方向の位置合わせが行われるとともに、位置ずれを防止することができる。
【００３５】
続いて、連結部材２０は、抜け止め用ビスＢ１（図１（Ｂ）参照）を後壁４０の後方から抜け止め部４３（図３参照）に螺合させ、裏板１２の延出部１４をセルフタッピング作用によって貫通させる。このように、連結部材２０は、抜け止め用ビスＢ１を延出部１４に貫通させることで、延出部１４が後壁４０の前方に固定され、鏡１０の抜け止めを行う。
【００３６】
続いて、連結部材２０は、タッピングビスＢ２（図１（Ｂ）参照）を撓み部４４（図３参照）に挿通させ、仕切部６０にセルフタッピングにより螺合させる。撓み部４４は、下端側が前壁３０側に移動して撓み変形し、鏡１０を前壁３０側に押圧する。これにより、鏡１０は、前壁３０と撓み部４４とによって挟持されて固定される。以上のようにして、鏡アセンブリ１が組み立てられる。
【００３７】
次に、上記構成の連結部材２０および鏡アセンブリ１の作用について説明する。
上記のように組み立てられた鏡アセンブリ１において、液体（例えば、化粧品や洗剤を含む液体など）が鏡本体１１の前面において端部１１Ａに向かって伝わる場合を考える。鏡アセンブリ１は、液体が表面張力などにより鏡本体１１と前壁３０との間に入り込む虞がある。しかしながら、連結部材２０は、図４、図９に示すように、前空間Ｓ１において、隣り合う連結部間（前後連結部５１〜５３、および前連結部７１，７２のうち隣り合う連結部の間）で上下方向に貫通する通路が構成されている。そのため、連結部材２０は、鏡本体１１と前壁３０との間に入り込む液体を、そのままこれらの通路を構成する前壁３０の後面を伝って、図９、図１０に示す経路Ｒ１のように下方に導くことができ、下方に排水することができる。
【００３８】
また、連結部材２０は、鏡本体１１と前壁３０との間に入り込む液体が、鏡本体１１の端部１１Ａに伝わった場合であっても、端部１１Ａが載置される仕切部６０に接触することになる。そのため、連結部材２０は、図９、図１０に示す経路Ｒ２のように、液体を仕切部６０によって下方に導くことができる。これにより、連結部材２０は、液体を前空間Ｓ１において仕切部６０の前面を伝わらせて、鏡１０から排水することができる。
【００３９】
さらに、仮に鏡１０の端部１０Ａに伝わる液体が、裏板１２まで到達しようとする場合を考える。連結部材２０は、仕切部６０の後ろには後空間Ｓ２があり、凸部６４が裏板１２に干渉することで、仕切部６０が裏板１２に対して離間している。そのため、連結部材２０は、図１０に示す経路Ｒ３のように、液体を仕切部６０によって下方に導くことができる。そして、連結部材２０は、図４、図１０に示すように、後空間Ｓ２において、隣り合う連結部間（前後連結部５１〜５３、および後連結部７３，７４のうち隣り合う連結部の間）で上下方向に貫通する通路が構成されている。そのため、連結部材２０は、鏡１０の端部１０Ａに伝わる液体を、そのままこれらの通路を構成する仕切部６０の後面を伝って、図９、図１０に示すような経路Ｒ３のように下方に排水することができる。
【００４０】
また、裏板１２の延出部１４は、一対の横仕切部６５，６５の間において、各横仕切部６５，６５に離間して配置されている。そのため、連結部材２０は、液体が鏡１０の延出部１４を除く端部１０Ａにおいて左右方向外側から延出部１４に向かって液体が伝わる場合に、横仕切部６５，６５によって下方に排水することができる。具体的には、連結部材２０は、端部１０Ａにおける延出部１４よりも左側の部分において、左側から延出部１４に向かって液体が伝わる場合に、図８に示す経路Ｒ４のように、後左空間Ｓ２１において左側の横仕切部６５の左側面を伝わらせて、下方に排水することができる。さらに、連結部材２０は、仮に左側の横仕切部６５の左側面よりも右側に液体が伝わっても、図８に示す経路Ｒ５のように、左側の横仕切部６５の右側面を伝わらせて、後内空間Ｓ２２において下方に排水することができる。同様に、連結部材２０は、端部１０Ａにおける延出部１４よりも右側の部分において、右側から延出部１４に向かって液体が伝わる場合に、図８に示す経路Ｒ６のように、後右空間Ｓ２３において右側の横仕切部６５の右側面を伝わらせて、下方に排水することができる。さらに、連結部材２０は、仮に右側の横仕切部６５の右側面よりも左側に液体が伝わっても、図８に示す経路Ｒ７のように、右側の横仕切部６５の左側面を伝わらせて、後内空間Ｓ２２において下方に排水することができる。
【００４１】
以下、本構成の効果を例示する。
実施例１の鏡アセンブリ１の連結部材２０は、挿入部８０に鏡１０の端部１０Ａが挿入された状態で、裏板１２に対して前方に離間するとともに挿入部８０の内側の空間Ｓを前空間Ｓ１と後空間Ｓ２とに仕切る仕切部６０を備えている。そのため、連結部材２０は、液体が鏡１０の前面から端部１０Ａへ伝わる場合に、液体を前空間Ｓ１において仕切部６０の前面を伝わらせて、鏡１０から排水することができる。連結部材２０は、仮に鏡１０の端部１０Ａに伝わる液体が前空間Ｓ１から後空間Ｓ２に到達しようとしても、仕切部６０の後面を伝わらせて、鏡１０から排水することができる。そして、仕切部６０は、裏板１２に対して離間しているため、裏板１２に液体が到達することを防ぐことができる。したがって、鏡アセンブリ１は、鏡本体１１と裏板１２との間に液体が入り込むことに起因する鏡本体１１の後面の腐食を防止することができる。特に、鏡アセンブリ１は、連結部材２０に仕切部６０を設けるのみの簡易な構成であるため、例えば鏡本体１１と裏板１２との間に液体の浸入防止用の接着部材などを付着させる工程が必要なく、生産効率良く鏡本体１１の後面の腐食を防止することができる。
【００４２】
鏡アセンブリ１の連結部材２０は、仕切部６０の後面から後方に突出した凸部６４を備えている。
このため、連結部材２０は、裏板１２が凸部６４に干渉することで、裏板１２が仕切部６０に接触することを防ぐことができる。これにより、鏡アセンブリ１は、後空間Ｓ２を確保して、液体を仕切部６０の後面を伝わらせて、鏡１０から排水し易くすることができる。
【００４３】
鏡アセンブリ１の連結部材２０にて取り付けられる鏡１０の裏板１２は、鏡本体１１の後面に固定された本体部１３、および本体部１３から鏡本体１１の端部１１Ａよりも外側に延出する延出部１４と、を有している。連結部材２０は、仕切部６０の後面から後方に延出する一対の横仕切部６５，６５を備えている。延出部１４は、一対の横仕切部６５，６５の間に各横仕切部６５，６５に離間して配置されている。
このため、この鏡アセンブリ１の連結部材２０は、液体が鏡１０の端部１０Ａにおいて延出部１４に向かって伝わる場合に、横仕切部６５，６５を伝わらせて、鏡１０から排水することができる。そして、鏡アセンブリ１は、延出部１４が一対の横仕切部６５，６５に離間して配置されているため、延出部１４に液体が到達することを防ぐことができる。
【００４４】
鏡アセンブリ１の連結部材２０にて取り付けられる鏡１０の延出部１４は、先端から基端に向かって延びるように切り欠かれた切欠部１４Ａが形成されている。連結部材２０は、後壁４０の前面から前方に突出したリブ７５を備えている。リブ７５は、切欠部１４Ａに入り込んでいる。
このため、この鏡アセンブリ１は、裏板１２の延出部の切欠部１４Ａにリブ７５が入り込むことで、裏板１２がリブ７５に対して、一対の横仕切部６５，６５が対向する方向に位置ずれすることを防ぐことができる。そのため、鏡アセンブリ１は、延出部１４を一対の横仕切部６５，６５から離間した状態に維持することができ、横仕切部６５，６５から延出部１４を介して裏板１２に液体が到達することを防ぐことができる。
【００４５】
本発明は上記記述及び図面によって説明した実施例に限定されるものではなく、例えば次のような実施例も本発明の技術的範囲に含まれる。
（１）実施例１では、連結部材２０の一対の横仕切部６５，６５は、仕切部６０の後面における左右方向内側寄りの位置から後方に延出していたが、仕切部６０の左右方向の両端部が実施例１よりも内側に位置し（すなわち、仕切部６０の左右方向の長さが前壁３０や後壁４０よりも短く）、一対の横仕切部６５，６５が仕切部６０の左右方向の両端部から後方に延出してもよい。すなわち、連結部材２０は、仕切部６０と一対の横仕切部６５，６５とによって、上方から見てコ字状の仕切りが構成されてもよい。
（２）実施例１では、連結部材２０のリブ７５は、後壁４０の前面から前方に突出し、仕切部６０に連なっていたが、仕切部６０に連ならなくてもよい。
（３）実施例１では、連結部材２０が鏡１０と本体部１５とを連結するとともに、鏡アセンブリ１が収納棚の扉として用いられる形態を例示したが、連結部材２０が鏡１０と壁面とを連結し、鏡アセンブリ１が壁面固定される形態であってもよい。
【符号の説明】
【００４６】
１…鏡アセンブリ
１０…鏡
１０Ａ…端部
１１…鏡本体
１１Ａ…端面
１２…裏板
１３…本体部
１４…延出部
１４Ａ…切欠部
１５…本体部（取付部）
２０…連結部材
３０…前壁
４０…後壁
６０…仕切部
６４…凸部
６５…横仕切部
７５…リブ
８０…挿入部
Ｓ…空間
Ｓ１…前空間
Ｓ２…後空間
【図１】
2019141270.tif 000003
【図２】
2019141270.tif 000004
【図３】
2019141270.tif 000005
【図４】
2019141270.tif 000006
【図５】
2019141270.tif 000007
【図６】
2019141270.tif 000008
【図７】
2019141270.tif 000009
【図８】
2019141270.tif 000010
【図９】
2019141270.tif 000011
【図１０】
2019141270.tif 000012